(57)【要約】【課題】端子を端子収容室内に確実に係止することができるコネクタを提供すること。【解決手段】端子２０が設けられた端子付き電線１０と、端子２０が収容される端子収容室６０が形成され、端子収容室６０への端子２０の挿入方向に先端の係止面７１を向けて端子収容室６０の内壁面６０ａに片持ち状に突設された弾性係止片７０を含むコネクタハウジング５０と、を有し、端子２０が弾性係止片７０を内壁面６０ａに近づけるように撓み変形させながら端子収容室６０に挿入され、弾性係止片７０が端子２０の挿入方向Ｄと逆方向に向けられた端子２０の被係止面２７と係止面７１との係り代を確保するように弾性復元されることによって、端子２０が端子収容室６０内に係止されるコネクタ１において、端子２０は、内壁面６０ａに向かい合う端子収容室６０の対向内壁面６０ｂに弾性的に接触するように突出された弾性突出部４０を有する。【選択図】図３
2015002129.tif 000002
【特許請求の範囲】
【請求項１】
電線の端末部に端子が設けられた端子付き電線と、前記端子が収容される端子収容室が形成され、該端子収容室への前記端子の挿入方向に先端の係止面を向けて前記端子収容室の内壁面に片持ち状に突設された弾性係止片を含むコネクタハウジングと、を有し、前記端子が前記弾性係止片を前記内壁面に近づけるように撓み変形させながら前記端子収容室に挿入され、前記弾性係止片が前記端子の挿入方向と逆方向に向けられた前記端子の被係止面と前記係止面との係り代を確保するように弾性復元されることによって、前記端子が前記端子収容室内に係止されるコネクタにおいて、
前記端子は、
前記内壁面に向かい合う前記端子収容室の対向内壁面に弾性的に接触するように突出された弾性突出部
を有することを特徴とするコネクタ。
【請求項２】
前記端子は、
板状金属部材が成形されてなり、
前記弾性突出部は、
前記端子を形成する壁の一部を切り起こすことによって形成られる
ことを特徴とする請求項１に記載のコネクタ。
【発明の詳細な説明】
【技術分野】
【０００１】
本発明は、端子が端子収容室内に係止されるコネクタに関する。
【背景技術】
【０００２】
従来、電線の端末部に端子が設けられた端子付き電線と、端子が収容される端子収容室が形成されたコネクタハウジングと、を有し、端子が端子収容室内に係止されるコネクタとしては、コネクタハウジングが端子収容室への端子の挿入方向に係止面が向けられるように端子収容室の内壁面に片持ち状に突設された弾性係止片を含む。
このようなコネクタは、端子が弾性係止片を内壁面に近づけるように撓み変形させながら端子収容室に挿入され、弾性係止片が挿入方向と逆方向に向けられた端子の被係止面に対して係止面との係り代を確保するように弾性復元されることによって、端子が端子収容室内に係止されるようになっている。
【０００３】
例えば特許文献１には、端子に設けられた係止突起に形成された被係止面と、コネクタハウジングのランス（弾性係止片）に形成された係止面との係り代によって端子が端子収容室内に係止されるようになっている。
【先行技術文献】
【特許文献】
【０００４】
【特許文献１】特開２００４−３９２７９号公報
【発明の概要】
【発明が解決しようとする課題】
【０００５】
しかしながら、特許文献１に記載されたコネクタは、端子収容室内での端子のがたつきによって、係止面と被係止面との係り代が減少し、端子が端子収容室から離脱されるおそれがあった。
【０００６】
本発明は、上記に鑑みてなされたものであって、端子を端子収容室内に確実に係止することができるコネクタを提供することを目的とする。
【課題を解決するための手段】
【０００７】
上述した課題を解決し、目的を達成するために、本発明の請求項１に係るコネクタは、電線の端末部に端子が設けられた端子付き電線と、前記端子が収容される端子収容室が形成され、該端子収容室への前記端子の挿入方向に先端の係止面を向けて前記端子収容室の内壁面に片持ち状に突設された弾性係止片を含むコネクタハウジングと、を有し、前記端子が前記弾性係止片を前記内壁面に近づけるように撓み変形させながら前記端子収容室に挿入され、前記弾性係止片が前記端子の挿入方向と逆方向に向けられた前記端子の被係止面と前記係止面との係り代を確保するように弾性復元されることによって、前記端子が前記端子収容室内に係止されるコネクタにおいて、前記端子は、前記内壁面に向かい合う前記端子収容室の対向内壁面に弾性的に接触するように突出された弾性突出部を有することを特徴とする。
【０００８】
また、本発明の請求項２に係るコネクタは、上記の発明において、前記端子は、板状金属部材が成形されてなり、前記弾性突出部は、前記端子を形成する壁の一部を切り起こすことによって形成られることを特徴とする。
【発明の効果】
【０００９】
本発明の請求項１に係るコネクタは、前記端子が前記弾性突出部によって前記内壁面に押圧されることによって、前記端子が前記弾性突出部を介して前記対向内壁面に接触されつつ、前記内壁面との隙間を開けないように配置されるので、前記端子収容室内での前記端子のがたつきが防止されることによって前記被係止面と前記係止面との係り代が確実に確保され、結果的に、端子を端子収容室内に確実に係止することができる。
【００１０】
本発明の請求項２に係るコネクタは、前記弾性突出部が前記端子を形成する壁の一部を切り起こすことによって形成されるので、簡易な構成で前記弾性突出部を設けることができ、結果的に前記コネクタハウジングのサイズを変更する必要がない。
【図面の簡単な説明】
【００１１】
【図１】図１は、本発明の実施例に係るコネクタの斜視図であり、コネクタハウジングに端子付き電線の端子が装着される前の状態を示す図である。
【図２】図２は、図１に示すコネクタのコネクタハウジングを断面図で示すとともに、端子付き電線を側方から視た図である。
【図３】図３は、コネクタの断面図である。
【図４】図４は、（ａ）が図３に示す係止面および被係止面周辺の拡大図であり、（ｂ）が図３に示す弾性突出部周辺の拡大図である。
【図５】図５は、端子が端子収容室内に挿入開始されてから、端子収容室内に係止されるまでのコネクタ各部の動作を示す図である。
【図６】図６は、変形例のコネクタの断面図である。
【発明を実施するための形態】
【００１２】
以下、図面を参照して、本発明に係るコネクタ１の好適な実施例を詳細に説明する。
【実施例１】
【００１３】
図１は、本発明の実施例に係るコネクタ１の斜視図であり、コネクタハウジング５０に端子付き電線１０の端子２０が装着される前の状態を示す図である。図２は、図１に示すコネクタ１のコネクタハウジング５０を断面図で示すとともに、端子付き電線１０を側方から視た図である。図３は、コネクタ１の断面図である。図４は、（ａ）が図３に示す係止面７１および被係止面２７周辺の拡大図であり、（ｂ）が図３に示す弾性突出部４０周辺の拡大図である。
なお、図中矢印Ｄは、端子２０の挿入方向を示している。
【００１４】
本発明の実施例に係るコネクタ１は、電線Ｗの端末部に端子２０が設けられた二本の端子付き電線１０と、各端子２０が収容される二つの端子収容室６０が形成され、端子収容室６０への端子２０の挿入方向に先端の係止面７１を向けて端子収容室６０の内壁面６０ａに片持ち状に突設された弾性係止片７０を含むコネクタハウジング５０と、を有する。  このコネクタ１は、端子２０が弾性係止片７０を内壁面６０ａに近づけるように撓み変形させながら端子収容室６０に挿入され、弾性係止片７０が挿入方向と逆方向に向けられた端子２０の被係止面２７に対して係止面７１との係り代を確保するように弾性復元されることによって、端子２０が端子収容室６０内に係止されるようになっている。
【００１５】
まず、端子付き電線１０について説明する。
端子２０は、銅、あるいは銅合金等の金属からなる板状部材が金型プレス加工等によって成形された金具である。この端子２０は、不図示の接続相手端子との接続部分となる相手端子接続部２２と、電線Ｗの端末部に接続される電線接続部３０と、相手端子接続部２２と電線接続部３０とを連結する中間部３３と、を有する。
【００１６】
相手端子接続部２２は、角筒状をなす接続本体部２３の筒内に設けられた弾性接触片２４（図３参照）に不図示の相手端子が接触されるようになっている。
【００１７】
また、接続本体部２３は、係止用開口部２５と、一対の係止片ガイド部２６、２６と、弾性突出部４０とを有する。
係止用開口部２５は、接続本体部２３の角筒形状の４つの面を形成する壁の一つの壁２２ａに、撓み変形されていない中立状態の弾性係止片７０が配置可能に形成された開口部分である。
この係止用開口部２５の開口内縁面のうち、端子２０の挿入方向（以下、端子挿入方向Ｄという。）と逆方向に向けられた面が被係止面２７として機能されるようになっている。すなわち、弾性係止片７０が弾性変形されていない中立状態で係止用開口部２５内に配置されると、係止面７１が被係止面２７に向かい合わされるようになっている。
【００１８】
一対の係止片ガイド部２６、２６は、端子挿入方向Ｄに沿って延びる係止用開口部２５の両端縁に板状に突設された部分であり、弾性係止片７０を間に配置させながら弾性係止片７０を係止用開口部２５内にガイドするものである。
【００１９】
弾性突出部４０は、弾性係止片７０が突設された端子収容室６０の内壁面６０ａに向かい合う端子収容室６０の対向内壁面６０ｂに弾性的に接触されるように突出された部分である。
この弾性突出部４０は、端子２０を形成する壁の一部を切り起こすことによって形成される。より具体的には、弾性突出部４０は、接続本体部２３の角筒形状の４つの面を形成する壁のうち、係止用開口部２５が形成された壁２２ａに向かい合う壁２２ｂの一部を斜めに切り起こすことによって形成られる。
【００２０】
このような、弾性突出部４０は、端子２０が端子収容室６０内に挿入開始されてから、端子収容室６０内に係止されるまで、弾性突出部４０が対向内壁面６０ｂに弾性的に接触し続けるように、寸法、傾斜角度等が調整されている。
【００２１】
電線接続部３０は、図２に示すように、板状部分の両側端部が合わせられた筒状をなし、電線Ｗの露出された導体部１１に圧着される導体圧着部３１と、電線Ｗの絶縁被覆部１２に圧着される絶縁被覆圧着部３２と、を有する。
導体圧着部３１は、電線Ｗの延在方向における電線接続部３０の前端側に設けられ、かつ電線Ｗの端末部の露出された導体部１１に圧着される部分である。
絶縁被覆圧着部３２は、電線Ｗの延在方向における電線接続部３０の後端側に設けられ、かつ絶縁被覆部１２に圧着される部分である。
【００２２】
次に、コネクタハウジング５０について説明する。
コネクタハウジング５０は、絶縁樹脂材からなるブロック形状をなし、端子収容室６０が二つ並んで設けられている。
端子収容室６０は、端子２０が挿入される端子挿入口６２から、接続相手端子の接続部分が挿入される接続相手挿入口６３まで貫通された空間によって形成されている。
この端子収容室６０は、端子２０の端子挿入方向Ｄへの移動空間を確保するように弾性係止片７０が撓み変形される可撓空間６１が形成されている。
このため、端子２０が端子挿入口６２から挿入され、弾性係止片７０に接触されると、弾性係止片７０が可撓空間６１の内壁面６０ａに近づくように撓み変形されることによって、端子２０が弾性係止片７０に摺接されながら移動できるようになっている。
【００２３】
次に、図５を用いて、端子２０が端子収容室６０内に挿入開始されてから、端子収容室６０内に係止されるまでのコネクタ１各部の動作について説明する。図５は、端子２０が端子収容室６０内に挿入開始されてから、端子収容室６０内に係止されるまでのコネクタ１各部の動作を示す図である。
まず、端子２０が端子挿入口６２から挿入開始される（図５（ａ）参照）。ここで、端子２０は、弾性突出部４０を対向内壁面６０ｂに弾性的に接触させながら端子収容室６０内に挿入される。
より具体的には、弾性突出部４０が弾性変形されていない中立状態から傾斜角度を小さくするように弾性変形された状態で、すなわち端子２０が弾性突出部４０によるバネ力を得た状態で端子収容室６０内に挿入される。
このため、端子２０は、係止用開口部２５が形成された壁２２ａを内壁面６０ａに摺接させるとともに、弾性突出部４０を対向内壁面６０ｂに摺接させながら移動される。
【００２４】
その後、端子２０が端子収容室６０の奥側に向けてさらに移動される（図５（ｂ）参照）。ここで、端子２０が弾性係止片７０に接触され、弾性係止片７０が可撓空間６１の内壁面６０ａに近づくように可撓空間６１に撓み変形されることによって、端子２０の移動空間が確保される。なお、このときも弾性突出部４０が対向内壁面６０ｂに弾性的に接触さている。
【００２５】
その後、端子２０が端子収容室６０の奥側に向けてさらに移動され、弾性係止片７０によって端子収容室６０内に係止される（図５（ｃ）参照）。ここで、図４に示すように、弾性係止片７０が端子挿入方向Ｄと逆方向に向けられた端子２０の被係止面２７に対して係止面７１との係り代Ｐを確保するように弾性復元されることによって、端子２０が端子収容室６０内に係止される。
なお、このときも弾性突出部４０が対向内壁面６０ｂに弾性的に接触され、端子２０が弾性突出部４０によって内壁面６０ａに押圧されることによって、端子２０が弾性突出部４０を介して対向内壁面６０ｂに接触されつつ、内壁面６０ａとの隙間を開けないように配置される。このため、端子収容室６０内での端子２０のがたつきがなくなり、被係止面２７と係止面７１との係り代Ｐが確実に確保される。
【００２６】
本発明の実施例に係るコネクタ１は、端子２０が弾性突出部４０によって内壁面６０ａに押圧されることによって、端子２０が弾性突出部４０を介して対向内壁面６０ｂに接触されつつ、内壁面６０ａとの隙間を開けないように配置されるので、端子収容室６０内での端子２０のがたつきが防止されることによって被係止面２７と係止面７１との係り代が確実に確保され、結果的に、端子２０を端子収容室６０内に確実に係止することができる。
【００２７】
また、本発明の実施例に係るコネクタ１は、弾性突出部４０が端子２０を形成する壁２２ｂの一部を切り起こすことによって形成されるので、簡易な構成で弾性突出部４０を設けることができ、結果的にコネクタハウジング５０のサイズを変更する必要がない。
【００２８】
（変形例）
次に、図６を用いて本発明の実施例に係るコネクタ１の変形例について説明する。図６は、変形例のコネクタ２の断面図である。
この変形例のコネクタ２は、端子付き電線１００の端子８０が弾性突出部４０に代わって弾性突出部９０を有する点で実施例のコネクタと異なる。
なお、その他の構成は実施例と同様であり、実施例と同一構成部分には同一符号を付している。
【００２９】
弾性突出部９０は、弾性係止片７０が突設された端子収容室６０の内壁面６０ａに向かい合う端子収容室６０の対向内壁面６０ｂに弾性的に接触されるように突出された部分である。
この弾性突出部９０は、端子８０を形成する壁の一部を膨出することによって形成られる。より具体的には、弾性突出部９０は、接続本体部８３の角筒形状の４つの面を形成する壁のうち、係止用開口部２５が形成された壁８２ａに向かい合う壁８２ｂの一部を膨出すことによって形成される。
【００３０】
この変形例のコネクタ２は、実施例のコネクタ１と同様に、端子２０が弾性突出部９０によって内壁面６０ａに押圧されることによって、端子２０が弾性突出部９０を介して対向内壁面６０ｂに接触されつつ、内壁面６０ａとの隙間を開けないように配置されるので、端子収容室６０内での端子２０のがたつきが防止されることによって被係止面２７と係止面７１との係り代が確実に確保され、結果的に、端子２０を端子収容室６０内に確実に係止することができる。
【００３１】
なお、本発明の実施例に係るコネクタ１、２は、コネクタハウジング５０に二つの端子収容室６０、６０が設けられるものを例示したが、これに限らず、コネクタハウジング５０には少なくとも一つの端子収容室６０が設けられていればよい。
【００３２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００３３】
１、２      コネクタ
１０、１００  端子付き電線
１１        導体部
１２        絶縁被覆部
２０、８０  端子
２２、８２  相手端子接続部
２２ａ、２２ｂ、８２ａ、８２ｂ  壁
２３、８３  接続本体部
２４        弾性接触片
２５        係止用開口部
２６        係止片ガイド部
２７        被係止面
３０        電線接続部
３１        導体圧着部
３２        絶縁被覆圧着部
３３        中間部
４０、９０  弾性突出部
５０        コネクタハウジング
６０        端子収容室
６０ａ      内壁面
６０ｂ      対向内壁面
６１        可撓空間
６２        端子挿入口
６３        相手端子挿入口
７０        弾性係止片
７１        係止面
Ｗ          電線
【図１】
2015002129.tif 000003
【図２】
2015002129.tif 000004
【図３】
2015002129.tif 000005
【図４】
2015002129.tif 000006
【図５】
2015002129.tif 000007
【図６】
2015002129.tif 000008